(57)【要約】【課題】優れた緩衝効果を備えるスライドレール緩衝ベアリングを提供する。【解決手段】スライドレール緩衝ベアリングは、連接棒１、第一ベアリングスライド台２及び第二ベアリングスライド台３を含む。連接棒１は、相対する両端に第一連接端１１と第二連接端１２が設置されている。第一ベアリングスライド台２は、水平上壁２１と２個の垂直側壁２２を備え、水平上壁２１と垂直側壁２２上にはローラー部品２３が設置され、第一連接端１１に接続する。第二ベアリングスライド台３は、水平上壁３１と２個の垂直側壁３２を備え、水平上壁３１と垂直側壁３２上にはローラー部品３３が設置され、第二連接端１２に接続する。緩衝部分４は、連接棒１に接続する。分離した部品が連接し、部品が連接する部分に緩衝部分４と受止め槽が設置され、緩衝部分４が受止め槽内で衝突の衝撃を受止めるため、優れた緩衝効果を備える。【選択図】図１
0003134910.tif 000002
【実用新案登録請求の範囲】
【請求項１】
連接棒、第一ベアリングスライド台及び第二ベアリングスライド台を備え、
前記連接棒は相対する両端においてそれぞれ第一連接端と第二連接端を有し、
前記第一ベアリングスライド台は水平上壁と２個の垂直側壁を有し、前記水平上壁と前記垂直側壁上にはローラー部品を有し、前記第一ベアリングスライド台は前記連接棒の第一連接端に接続し、
前記第二ベアリングスライド台は水平上壁と２個の垂直側壁を有し、前記水平上壁と前記垂直側壁上にはローラー部品を有し、前記第二ベアリングスライド台は前記連接棒の第二連接端に接続し、
緩衝部分は前記連接棒に接続することを特徴とするスライドレール緩衝ベアリングスライドレール緩衝ベアリング。
【請求項２】
前記第一ベアリングスライド台は第一受止め槽を有し、前記第一受止め槽の幅は前記連接棒の第一連接端の幅に相対し、前記第一受止め槽上にはガードブロックを有し、前記連接棒の第一連接端の側辺には凹槽を有し、前記ガードブロックにより前記凹槽に対応して接触固定されることを特徴とする請求項１記載のスライドレール緩衝ベアリング。
【請求項３】
前記第二ベアリングスライド台は第二受止め槽を有し、前記第二受止め槽の幅は前記連接棒の第二連接端の幅に相対し、前記第二受止め槽上にはガードブロックを有し、前記連接棒の第二連接端の側辺には凹槽を有し、前記ガードブロックにより前記凹槽に対応して接触固定されることを特徴とする請求項１記載のスライドレール緩衝ベアリング。
【請求項４】
前記緩衝部分には少なくとも一個の波浪状の片体を有することを特徴とする請求項１記載のスライドレール緩衝ベアリング。
【請求項５】
前記緩衝部分は、前記連接棒の第一連接端の末端に接続することを特徴とする請求項１記載のスライドレール緩衝ベアリング。
【請求項６】
前記緩衝部分は、前記連接棒の第二連接端の末端に接続することを特徴とする請求項１記載のスライドレール緩衝ベアリング。
【請求項７】
前記緩衝部分は、前記連接棒の第一連接端の中央に接続することを特徴とする請求項１記載のスライドレール緩衝ベアリング。
【請求項８】
前記緩衝部分は、前記連接棒の第二連接端の中央に接続することを特徴とする請求項１記載のスライドレール緩衝ベアリング。
【請求項９】
前記連接棒は、少なくとも第一棒と第二棒を有し、前記第一棒と前記第二棒の向かい合う端は対応して接続し、第三連接端と第三受止め槽が設けられ、前記第三連接端は緩衝部分と接続することを特徴とする請求項１記載のスライドレール緩衝ベアリング。
【請求項１０】
前記連接棒の第二連接端は、第二ベアリングスライド台に一体に接続し、前記連接棒の第一連接端は緩衝部分と接続することを特徴とする請求項１記載のスライドレール緩衝ベアリング。
【請求項１１】
連接棒、第一ベアリングスライド台及び第二ベアリングスライド台を備え、
前記連接棒は相対する両端においてそれぞれ第一連接端と第二連接端を有し、
前記第一ベアリングスライド台は水平上壁と２個の垂直側壁を有し、前記水平上壁と前記垂直側壁上にはローラー部品を有し、第一ベアリングスライド台には第一受止め槽を有し、前記第一受止め槽には前記連接棒の第一連接端が挿入接続し、
前記第二ベアリングスライド台は水平上壁と２個の垂直側壁を有し、前記水平上壁と前記垂直側壁上にはローラー部品を有し、前記第二ベアリングスライド台には第二受止め槽を有し、前記第二受止め槽には前記連接棒の第二連接端が挿入接続し、
緩衝部分は少なくとも前記第一ベアリングスライド台の第一受止め槽と前記第二ベアリングスライド台の第二受止め槽の内の一つの内部に設置されていることを特徴とするスライドレール緩衝ベアリング。
【請求項１２】
前記連接棒の第一連接端と第二連接端の側辺には凹槽を有し、前記第一受止め槽と前記第二受止め槽上にはガードブロックを有し、前記第一連接端と前記第一受止め槽、前記第二連接端と前記第二受止め槽はそれぞれ前記ガードブロックにより前記凹槽に対応して接触固定されることを特徴とする請求項１１記載のスライドレール緩衝ベアリング。
【請求項１３】
前記緩衝部分は、少なくとも一個の波浪状片体を有することを特徴とする請求項１１記載のスライドレール緩衝ベアリング。
【請求項１４】
前記連接棒の第二連接端は、第二ベアリングスライド台に一体に接続し、前記連接棒の第一連接端は前記第一ベアリングスライド台の第一受止め槽の内部に挿入接続し、前記第一連接端は前記緩衝部分に対応して接触固定されることを特徴とする請求項１１記載のスライドレール緩衝ベアリング。
【考案の詳細な説明】
【技術分野】
【０００１】
本考案は、一種のスライドレール緩衝ベアリングに関する。特に、一種のベアリング部品は分離した部品が連接し、その部品が連接する部分には緩衝部分と受止め槽を設置し、これにより、緩衝部分は受止め槽内において衝突の衝撃を受止め、圧縮し、さらに優れた緩衝効果を備えるスライドレール緩衝ベアリングに係る。
【背景技術】
【０００２】
一般の家具に設置されている引き出しの多くは、スライドレールを結合することで、スライド移動を円滑にし、省力化を実現している。しかし、スライドレールは引き出しに対応した使用過程では、引き定位或いは押し戻して閉める時共に、衝突の衝撃力が発生する。初期の技術では、衝突の衝撃力を低下させ、これにより、騒音或いは震動を減少させるため、スライドレール製品の中にはそれが備えるベアリング部品を利用して緩衝構造を結合するものがある。この類の公知技術は、台湾特許第４９９９０５号明細書、米国特許第６，０１５，１９９号明細書、第７，２１３，８９６  Ｂ２号明細書において見られる。
【０００３】
上記の米国特許第６，０１５，１９９号明細書は、主に一種の底装置式引き出しスライドレール（Undermount Drawer Slide）において運用される。その技術の特徴は、ベアリングスライド台の端部に突出した緩衝部品を設置し、該緩衝部品は蛇型湾曲片体の形態を呈し、ベアリングスライド台に連接し、該蛇型湾曲緩衝部品を利用して、スライドレールの衝突の衝撃を受け止め、衝突の衝撃力を吸収し、騒音と震動を減少させるものである。
【０００４】
しかし、該湾曲緩衝部品がベアリングスライド台に対応して外部に突出して露出する形態で、しかも一体で連接するため、その湾曲形態は衝突の衝撃が加わると、スライドレール内部の隔層空間において不定向の変形を生じ易く、一旦過度に湾曲すれば、変形して損壊し、緩衝部品を交換することができなくなってしまう。しかもベアリングスライド台は緩衝部品に一体連接しているため、ベアリングスライド台も異なる規格、機能ニーズのスライドレールと共用することができず、使用上の制限が大きい。
【考案の開示】
【考案が解決しようとする課題】
【０００５】
本考案は、上記構造の問題点を解決するスライドレール緩衝ベアリングを提供するものである。
【課題を解決するための手段】
【０００６】
上記課題を解決するため、本考案は、下記のスライドレール緩衝ベアリングを提供する。
それは、主にスライドレール緩衝ベアリングを提供し、これにより、公知緩衝部品を単独で交換することができず、しかもベアリングスライド台が結合する緩衝部品が通用性を欠くという問題を解決することができる。
【０００７】
すなわち、スライドレール緩衝ベアリングを提供し、連接棒、第一ベアリングスライド台、第二ベアリングスライド台及び緩衝部分を含む。
該連接棒には相対する両端においてそれぞれ第一連接端と第二連接端を設置する。
該第一ベアリングスライド台は、水平上壁と２個の垂直側壁を備え、該水平上壁と該垂直側壁上にはローラー部品を設置し、しかも該第一ベアリングスライド台は該連接棒の第一連接端に接続する。
【０００８】
該第二ベアリングスライド台は、水平上壁と２個の垂直側壁を備え、該水平上壁と該垂直側壁上にはローラー部品を設置し、しかも該第二ベアリングスライド台は該連接棒の第二連接端に接続する。
該緩衝部分は、該連接棒に接続する。
該第一ベアリングスライド台には第一受止め槽を設置し、該第一受止め槽の幅は該連接棒の第一連接端の幅に相対し、しかも該第一受止め槽上にはガードブロックを設置し、該連接棒の第一連接端側辺には凹槽を設置し、該ガードブロックにより該凹槽に対応して接触固定する。
【０００９】
該第二ベアリングスライド台には第二受止め槽を設置し、該第二受止め槽の幅は該連接棒の第二連接端の幅に相対し、しかも該第二受止め槽上にはガードブロックを設置し、該連接棒の第二連接端側辺には凹槽を設置し、該ガードブロックにより該凹槽に対応して接触固定する。
該緩衝部分には少なくとも一個の波浪状の片体を設置する。
【００１０】
該緩衝部分は、該連接棒の第一連接端の末端に接続する。
該緩衝部分は、該連接棒の第二連接端の末端に接続する。
該緩衝部分は、該連接棒の第一連接端の中央に接続する。
該緩衝部分は、該連接棒の第二連接端の中央に接続する。
該連接棒は、少なくとも第一棒と第二棒を含み、該第一棒と該第二棒の向かい合う端は対応接続し、第三連接端と第三受止め槽を設置し、該第三連接端は緩衝部分を含む。
【００１１】
該連接棒の第二連接端は、第二ベアリングスライド台に一体に接続し、該連接棒の第一連接端は緩衝部分と接続する。
本考案は、さらにスライドレール緩衝ベアリングを提供し、連接棒、第一ベアリングスライド台、第二ベアリングスライド台及び緩衝部分を含む。
該連接棒は相対する両端においてそれぞれ第一連接端と第二連接端を設置している。
【００１２】
該第一ベアリングスライド台は、水平上壁と２個の垂直側壁を備え、該水平上壁と該垂直側壁上にはローラー部品を設置している。
該第一ベアリングスライド台には第一受止め槽を設置し、該第一受止め槽には該連接棒の第一連接端が挿入接続する。
該第二ベアリングスライド台は、水平上壁と２個の垂直側壁を備え、該水平上壁と該垂直側壁上にはローラー部品を設置し、該第二ベアリングスライド台には第二受止め槽を設置し、該第二受止め槽には該連接棒の第二連接端が挿入接続する。
【００１３】
該緩衝部分は、少なくとも第一ベアリングスライド台の第一受止め槽と第二ベアリングスライド台の第二受止め槽の両者の内の一つの内部に設置している。
該連接棒の第一連接端と第二連接端の側辺には凹槽を設置し、該第一受止め槽と該第二受止め槽上にはガードブロックを設置し、該第一連接端と該第一受止め槽、該第二連接端と該第二受止め槽はそれぞれ該ガードブロックにより該凹槽に対応して接触固定する。
【００１４】
該緩衝部分は、少なくとも一個の波浪状片体を備える。
該第二ベアリングスライド台は、第二受止め槽を備えず、該連接棒の第二連接端は第二ベアリングスライド台に一体に接続し、該連接棒の第一連接端は該第一ベアリングスライド台の第一受止め槽内部に挿入接続し、該第一連接端は該緩衝部分に対応して接触固定する。
【００１５】
公知技術に比較し、本考案が達成する機能及び効果と長所は以下の通りである。
ａ．緩衝ベアリング部品は、分離部品を組合せて構成されているため、単独で部品交換が可能で、コストパフォーマンスが高い。しかも部品は相互に共用可能で、モールドの開発、製造コストを省くことができる。
ｂ．緩衝部分の設置は受止め槽の内部空間内に結合するため、緩衝部分の圧縮変形は安定し、変形程度は制御可能であるため、緩衝部分の使用寿命は長い。
スライドレール緩衝ベアリングを提供する。
【考案の効果】
【００１６】
上記のように、本考案のベアリング部品は、分離した部品が連接し、その部品が連接する部分には緩衝部分と受止め槽を設置し、これにより、緩衝部分は受止め槽内において衝突の衝撃を受止め、圧縮し、さらに優れた緩衝効果を備える。
【考案を実施するための最良の形態】
【００１７】
図１の分解図及び図２の斜視図に示すように、本考案の一実施例によるスライドレール緩衝ベアリングは、連接棒１、第一ベアリングスライド台２、第二ベアリングスライド台３及び緩衝部分４を含む。
該連接棒１には相対する両端においてそれぞれ第一連接端１１と第二連接端１２を設置し、該第一連接端１１は緩衝部分４を含み、該第二連接端１２も緩衝部分４を含む。
該緩衝部分４は波浪状の片体を呈し、該第一連接端１１と該第二連接端１２の側辺上に凹槽１３を設置する。図２に示す実施例では、該緩衝部分４を該第一連接端１１と該第二連接端１２の末端に設置し、図３に示すように、連接棒１Ａの緩衝部分４Ａを第一連接端１１Ａと第二連接端１２Ａの中央に設置する。
【００１８】
該第一ベアリングスライド台２は、水平上壁２１と２個の垂直側壁２２を備える。該水平上壁２１と該垂直側壁２２上にはローラー部品２３を設置し、該ローラー部品２３は円筒ローラーベアリングである。しかも該第一ベアリングスライド台２には第一受止め槽２４を設置し、該第一受止め槽２４の幅は該連接棒１の第一連接端１１の幅に対応する。これにより、該第一受止め槽２４は該第一連接端１１をその中に接合し、また、該第一受止め槽２４の二側壁面上にはガードブロック２５を設置し、該第一連接端１１上の凹槽１３に接触固定し、該第一連接端１１と該緩衝部分４の該第一受止め槽２４からの脱離を防止する。
【００１９】
該第二ベアリングスライド台３は、水平上壁３１と２個の垂直側壁３２を備え、該水平上壁３１と該垂直側壁３２上にはローラー部品３３を設置する。該ローラー部品３３は円筒ローラーベアリングで、しかも該第二ベアリングスライド台３には第二受止め槽３４を設置する。該第二受止め槽３４の幅は該連接棒１の第二連接端１２の幅に対応し、これにより、該第二受止め槽３４は該第二連接端１２をその中に接合し、また、該第二受止め槽３４の二側壁面上にはガードブロック３５を設置し、該第二連接端１２上の凹槽１３に接触固定し、該第二連接端１２と該緩衝部分４の該第二受止め槽３４からの脱離を防止する。
【００２０】
上記実施例をスライドレールに対応して使用する時には、図４に示すように、該連接棒１の第一連接端１１及び該第二連接端１２が接合する第一ベアリングスライド台２及び第二ベアリングスライド台３は下レールＡ上を跨いで接続し、さらに、上レールＢに重なる。該上レールＢを引き動かし、或いは、押し戻し、該第一ベアリングスライド台２及び該第二ベアリングスライド台３が衝突の衝撃力を受止める時、図５に示すように、該第一ベアリングスライド台２及び第二ベアリングスライド台３は連接棒１に向かってスライド移動して圧迫停止する。該連接棒１は該第一連接端１１及び該第二連接端１２の緩衝部分４により該第一受止め槽２４及び第二受止め槽３４の内壁に接触し、該連接棒１の緩衝部分４の波浪状片体は該第一受止め槽２４及び該第二受止め槽３４内において圧縮作用を生じ、緩衝効果を達成する。
【００２１】
さらに、図６に示すように、連接棒１Ｂは区分して接続する形態とすることができる。それは、少なくとも第一棒１４Ｂと第二棒１５Ｂを含み、該第一棒１４Ｂと該第二棒１５Ｂの向かい合う端は対応して接続し、第三連接端１６Ｂと第三受止め槽１７Ｂを設置する。該第三連接端１６Ｂはさらに緩衝部分４Ｂを含み、この区分して接続する連接棒１Ｂの両外端には同様に第一連接端１１Ｂと第二連接端１２Ｂを設置する。該第一連接端１１Ｂと該第二連接端１２Ｂは、緩衝部分４Ｂを含む。
【００２２】
この他、図７に示すように、連接棒１Ｃの第二連接端１２Ｃは第二ベアリングスライド台３Ｃに直接連接して一体成型とすることができる。該連接棒１Ｃ一端の第一連接端１１Ｃにはさらに緩衝部分４Ｃを設置し、第一ベアリングスライド台２Ｃの第一受止め槽２４Ｃは緩衝部分４Ｃを備える第一連接端１１Ｃに接合する。
本考案の他の実施例によるスライドレール緩衝ベアリングは、図８に示すように、連接棒１Ｄは相対する両端においてそれぞれ第一連接端１１Ｄと第二連接端１２Ｄを設置する。該第一連接端１１Ｄと該第二連接端１２Ｄの側辺上には凹槽１３Ｄを設置し、該第一ベアリングスライド台２Ｄには第一受止め槽２４Ｄを設置する。これにより、該第一連接端１１Ｄはその中に接合し、しかも該第一受止め槽２４Ｄ内には緩衝部分４Ｄを設置する。該緩衝部分４Ｄは該連接棒１Ｄの第一連接端１１Ｄ末端に対応して接触固定し、及び該第一受止め槽２４Ｄの二側壁面上においてガードブロック２５Ｄを設置する。これにより、該第一連接端１１Ｄの凹槽１３Ｄに対応して接触固定し、該第一連接端１１Ｄの該第一受止め槽２４Ｄからの脱離を防止する。
【００２３】
第二ベアリングスライド台３Ｄには第二受止め槽３４Ｄを設置し、第二受止め槽３４Ｄは該連接棒１Ｄの第二連接端１２Ｄに接続し、しかも該第二受止め槽３４Ｄ内には同様に緩衝部分４Ｄを設置する。該緩衝部分４Ｄは該連接棒１Ｄの第二連接端１２Ｄ末端に対応して接触固定し、該第二受止め槽３４Ｄの二側壁面上にガードブロック３５Ｄを設置する。これにより、該第二連接端１２Ｄの凹槽１３Ｄに接触固定し、該第二連接端１２Ｄの該第二受止め槽３４Ｄからの脱離を防止する。
さらに、図９に示すように、連接棒１Ｅの第二連接端１２Ｅは第二ベアリングスライド台３Ｅに直接接続して一体成型とすることができ、第一ベアリングスライド台２Ｅの第一受止め槽２４Ｅ内にはさらに緩衝部分４Ｅを設置する。該連接棒１Ｅ一端の第一連接端１１Ｅは、該緩衝部分４Ｅを備える第一受止め槽２４Ｅに接合する。
【図面の簡単な説明】
【００２４】
【図１】本考案の一実施例によるスライドレール緩衝ベアリングを示す分解図である。
【図２】本考案の一実施例によるスライドレール緩衝ベアリングを示す斜視図である。
【図３】本考案の一実施例によるスライドレール緩衝ベアリングの連接棒の緩衝部分の位置変化を示す斜視図である。
【図４】本考案の一実施例によるスライドレール緩衝ベアリングのスライドレールに設置する状態を示す斜視図である。
【図５】本考案の一実施例によるスライドレール緩衝ベアリングの緩衝部分の圧縮緩衝状態を示す模式図である。
【図６】本考案の一実施例によるスライドレール緩衝ベアリングの連接棒を分段型態に設置する構造を示す分解図である。
【図７】本考案の一実施例によるスライドレール緩衝ベアリングの連接棒の一端とベアリングスライド台が相互に連接して成型する構造を示す分解図である。
【図８】本考案の他の実施例によるスライドレール緩衝ベアリングを示す分解図である。
【図９】本考案の他の実施例によるスライドレール緩衝ベアリングの連接棒の一端とベアリングスライド台が相互に連接して成型する構造を示す分解図である。
【符号の説明】
【００２５】
１：連接棒、１Ａ：連接棒、１Ｂ：連接棒、１Ｃ：連接棒、１Ｄ：連接棒、１Ｅ：連接棒、２：第一ベアリングスライド台、２Ｃ：第一ベアリングスライド台、２Ｄ：第一ベアリングスライド台、２Ｅ：第一ベアリングスライド台、３：第二ベアリングスライド台、３Ｃ：第二ベアリングスライド台、３Ｄ：第二ベアリングスライド台、３Ｅ：第二ベアリングスライド台、４：緩衝部分、４Ａ：緩衝部分、４Ｂ：緩衝部分、４Ｃ：緩衝部分、４Ｄ：緩衝部分、４Ｅ：緩衝部分、１１：第一連接端、１１Ａ：第一連接端、１１Ｂ：第一連接端、１１Ｃ：第一連接端、１１Ｄ：第一連接端、１１Ｅ：第一連接端、１２：第二連接端、１２Ａ：第二連接端、１２Ｂ：第二連接端、１２Ｃ：第二連接端、１２Ｄ：第二連接端、１２Ｅ：第二連接端、１３：凹槽、１３Ｄ：凹槽、１４Ｂ：第一棒、１５Ｂ：第二棒、１６Ｂ：第三連接端、１７Ｂ：第三受止め槽、２１：水平上壁、２２：垂直側壁、２３：ローラー部品、２４：第一受止め槽、２４Ｃ：第一受止め槽、２４Ｄ：第一受止め槽、２４Ｅ：第一受止め槽、２５：ガードブロック、２５Ｄ：ガードブロック、３１：水平上壁、３２：垂直側壁、３３：ローラー部品、３４：第二受止め槽、３４Ｄ：第二受止め槽、３５：ガードブロック、３５Ｄ：ガードブロック、Ａ：下レール、Ｂ：上レール
【図１】
0003134910.tif 000003
【図２】
0003134910.tif 000004
【図３】
0003134910.tif 000005
【図４】
0003134910.tif 000006
【図５】
0003134910.tif 000007
【図６】
0003134910.tif 000008
【図７】
0003134910.tif 000009
【図８】
0003134910.tif 000010
【図９】
0003134910.tif 000011
【手続補正書】
【提出日】平成19年6月27日(2007.6.27)
【手続補正１】
【補正対象書類名】実用新案登録請求の範囲
【補正対象項目名】請求項１
【補正方法】変更
【補正の内容】
【請求項１】
連接棒、第一ベアリングスライド台及び第二ベアリングスライド台を備え、
前記連接棒は相対する両端においてそれぞれ第一連接端と第二連接端を有し、
前記第一ベアリングスライド台は水平上壁と２個の垂直側壁を有し、前記水平上壁と前記垂直側壁上にはローラー部品を有し、前記第一ベアリングスライド台は前記連接棒の第一連接端に接続し、
前記第二ベアリングスライド台は水平上壁と２個の垂直側壁を有し、前記水平上壁と前記垂直側壁上にはローラー部品を有し、前記第二ベアリングスライド台は前記連接棒の第二連接端に接続し、
緩衝部分は前記連接棒に接続することを特徴とするスライドレール緩衝ベアリング。